(57)【要約】【課題】  液晶表示パネルの狭額縁化、液晶表示装置の小型化を実現し、さらには、液晶表示装置に対する液晶表示パネルの実装の自由度を高め、接続配線に関する信頼性をも向上することのできる液晶表示装置を提供する。【解決手段】  液晶表示パネル１の端子形成部に無線受信用チップ部品２１を配設し、電源用端子１６には液晶駆動用チップ部品４および無線受信用チップ部品２１に駆動用電圧を供給するフレキシブル配線基板７の端子を接続し、データ信号用端子１７に前記液晶駆動用チップ部品４および前記無線受信用チップ部品２１の端子を接続し、液晶表示装置に、前記無線受信用チップ部品２１にデータ送信可能とされた無線送信用チップ部品２７を配設する。【選択図】      図１
2005107339.tif 000002
【特許請求の範囲】
【請求項１】
液晶表示パネルを構成している透明基板に、少なくとも電源用端子とデータ信号用端子とからなる端子形成部が形成されており、前記端子形成部に液晶駆動用チップ部品を備えた液晶表示パネルを備えた液晶表示装置であって、
前記液晶表示パネルの端子形成部には、無線受信用チップ部品が配設されており、
前記電源用端子には、前記液晶駆動用チップ部品および無線受信用チップ部品に駆動用電圧を供給するフレキシブル配線基板の端子が接続されており、
前記データ信号用端子には、前記液晶駆動用チップ部品および前記無線受信用チップ部品の端子が接続されており、
前記液晶表示装置には、前記無線受信用チップ部品にデータ送信可能とされた無線送信用チップ部品が配設されていることを特徴とする液晶表示装置。
【請求項２】
前記液晶表示パネルを構成している透明基板には、アンテナ端子のパターンが形成されており、前記無線受信用チップ部品は、前記アンテナ端子の給電端子部と接続されている請求項１に記載の液晶表示装置。
【発明の詳細な説明】
【技術分野】
【０００１】
本発明は、ドライバＩＣなどのチップ部品を端子形成部に搭載するＣＯＧ（Chip On Glass）実装方式を採用した液晶表示パネルを備えた液晶表示装置に関する。
【背景技術】
【０００２】
一般に、中間に液晶を充填した一対の透明基板の所定の部分に選択的に電界を与えることにより特定の図形や文字等の情報を表示する液晶表示パネルが備えた液晶表示装置が多く用いられている。
【０００３】
図４は、従来の液晶表示装置の構成を示す説明図である。
【０００４】
この図４に示すように、従来の液晶表示パネル１は、観察者側である表面側に位置するフロント基板２Ｆと、反観察者側である背面側に位置するリア基板２Ｒからなる一対の透明基板２間に液晶（図示せず）を封入してなり、前記リア基板２Ｒの一端辺部分（図４における下端）は、フロント基板２Ｆの端縁より突出するように延出形成されており、この延出領域１５は端子形成部３とされている。
【０００５】
前記端子形成部３の基板表面には、駆動電圧を供給するための端子や各種のデータ信号を供給するための端子等、多数本の端子が形成されており、これらの端子の所定の位置には、チップ部品としてのドライバＩＣ４が図示しない導電性の接合部材を介して電気的に接続されている。
【０００６】
また、端子形成部３の端縁には、前記ドライバＩＣ４に対し、当該液晶表示装置の装置本体５に内蔵された、ＭＰＵ（Micro Processor Unit）８などが搭載されたプリント配線基板６から、駆動電圧や各種のデータ信号を供給するためのフレキシブル配線基板７の一端部が電気的に接続されている。
【０００７】
【特許文献１】特開２００１−２７４５５１号公報
【特許文献２】特開２００２−３１４２０６号公報
【発明の開示】
【発明が解決しようとする課題】
【０００８】
ところで、昨今、液晶表示パネル１の狭額縁化、液晶表示装置の小型化の要請が高まり、前記端子形成部３をなるべく狭幅に形成することが好ましい。
【０００９】
ところが、図４に示すように、前記液晶表示パネル１の駆動電圧や各種のデータ信号をすべて、前記フレキシブル配線基板７を介してドライバＩＣ４に供給する構成とされた従来の液晶表示パネル１においては、前記端子形成部３とフレキシブル配線基板７との接続幅を端子形成部の突出方向に大きく確保しなければならず、狭額縁化が困難であった。
【００１０】
また、前述のように、ドライバＩＣ４に対する、前記液晶表示パネル１の駆動電圧や各種のデータ信号の供給を、すべて１枚のフレキシブル配線基板７を介して行おうとすると、前記フレキシブル配線基板７に配線される配線数が多くなるため、フレキシブル配線基板は幅広となる。よって、液晶表示装置に液晶表示パネル１を実装する際に、幅広のフレキシブル配線基板７は、ねじり方、撓め方などの扱いが制限されるため、液晶表示パネル１の実装の自由度が小さかった。
【００１１】
さらに、液晶表示装置としての、表示画面を有する携帯電話やビデオカメラなどの電子機器は、近年、液晶表示パネル１を内蔵した筐体１１を、ＭＰＵ８などを配設したプリント配線基板６を内蔵した筐体１２に対し、ヒンジで接続して折り畳み可能とする構成が採用されている。
【００１２】
その場合において、前記ヒンジ部分に位置するフレキシブル配線基板７は、前記液晶表示パネル１と装置本体５に内蔵されたプリント配線基板６とを繋ぐ配線数が多いため、前記ヒンジ部分のコンパクト化や、ヒンジ部分で折り曲げられるフレキシブル配線基板７の配線の断線防止等が懸案事項となっている。
【００１３】
そこで、本発明は、液晶表示パネルの狭額縁化、液晶表示装置の小型化を実現し、さらには、液晶表示装置に対する液晶表示パネルの実装の自由度を高め、接続配線に関する信頼性をも向上することのできる液晶表示装置を提供することを目的とする。
【課題を解決するための手段】
【００１４】
前述した目的を達成するため、本発明の液晶表示装置は、液晶表示パネルを構成している透明基板に、少なくとも電源用端子とデータ信号用端子を備えた端子形成部が形成されており、前記端子形成部に液晶駆動用チップ部品が搭載されている液晶表示パネルを備えた液晶表示装置であって、前記液晶表示パネルの端子形成部には、無線受信用チップ部品が配設されており、前記電源用端子の先端部には、前記液晶駆動用チップ部品および無線受信用チップ部品に、駆動用電圧を供給するフレキシブル配線基板の端子が接続されており、前記データ信号用端子には、前記液晶駆動用チップ部品および前記無線受信用チップ部品の端子が接続されており、前記液晶表示装置には、前記無線受信用チップ部品にデータ送信可能とされた無線送信用チップ部品が配設されていることを特徴とする。
【００１５】
また、前記液晶表示パネルを構成している透明基板には、アンテナ端子のパターンが形成されており、前記無線受信用チップ部品は、前記アンテナ端子の給電端子部と接続されていることを特徴とする。
【発明の効果】
【００１６】
本発明の液晶表示装置は、液晶駆動用チップ部品および無線受信用チップ部品に対する駆動電圧の供給のみをフレキシブル配線基板を介して行い、データ信号の供給は、当該液晶表示装置に内蔵されたプリント配線基板に配設された無線送信用チップ部品から前記無線受信用チップ部品へ、無線信号を伝送して行なう。
【００１７】
よって、本発明の液晶表示装置によれば、フレキシブル配線基板の配線数を極端に削減することが可能となり、前記液晶表示パネルの端子形成部との接続に要する面積を小さくすることができるので、液晶表示パネルの狭額縁化を実現することが可能となり、さらには、当該液晶表示パネルを実装する液晶表示装置の小型化をも実現することが可能となる。
【００１８】
また、前記フレキシブル配線基板は、フレキシブル配線基板の配線数が削減され、狭幅なものとなると、液晶表示装置に液晶表示パネルを実装する際の自由度が大きくなり、液晶表示装置における前記液晶表示パネルの様々な実装形態を改良することが可能となる。
【００１９】
さらに、液晶表示パネルの実装形態によっては、例えば、前述のように液晶表示装置としての折り畳み式の携帯電話に実装されるような場合に、ヒンジ部分でフレキシブル配線基板が折り曲げられることとなっても、フレキシブル配線基板の配線数が少なく狭幅とされることで、その断線の発生も少なくすることができ、フレキシブル配線基板の配線の屈曲強度を向上させることができる。
【００２０】
また、前記液晶表示パネルを構成している透明基板に形成されたアンテナ端子を前記無線受信用チップ部品が受信すべき無線電波の受信または受信の補助として作用させることができ、良好なデータ伝送を無線で行なうことができる等の効果を奏する。
【発明を実施するための最良の形態】
【００２１】
図１は、本発明の液晶表示装置における第１実施形態の概念図であり、図２は、この液晶表示装置の具体的な構成を示す説明図である。
【００２２】
本実施形態の液晶表示パネル１は、観察者側である表面側に位置するフロント基板２Ｆと、反観察者側である背面側に位置するリア基板２Ｒからなる一対の透明基板２間に図示しない液晶を封入してなり、前記リア基板２Ｒの一端辺部分（図２における下端）は、フロント基板２Ｆの端縁より突出するように延出形成されている。
【００２３】
本実施形態において、前記フロント基板２Ｆの端縁より突出する前記リア基板２Ｒの一端辺部分における基板表面（以下、延出領域という。）１５には、少なくとも、液晶駆動用チップ部品および無線受信用チップ部品に駆動電圧を供給するための電源用端子１６と、各種のデータ信号を供給するためのデータ信号用端子１７とを備えた端子形成部３とされており、これらの端子１６、１７の所定の位置には、液晶駆動用チップ部品としてのドライバＩＣ４が、図示しない導電性の接合部材を介して電気的に接続されている。
【００２４】
また、本実施形態において、前記電源用端子１６には、当該液晶表示装置の装置本体５に内蔵される、ＭＰＵ８などを搭載するプリント配線基板６を介して、装置本体５に配設された電圧９およびアース１０と接続され、前記ドライバＩＣ４に対し、駆動電圧を供給するためのフレキシブル配線基板７の一端部が電気的に接続されている。
【００２５】
そして、前記延出領域１５には、無線信号を受信しデジタル信号の復調などの処理機能を有する無線受信用チップ部品２１が配設されており、前記データ信号用端子１７に、前記ドライバＩＣ４および当該無線受信用チップ部品２１の図示しない端子が電気的に接続されている。
【００２６】
さらに、本実施形態において、前記延出領域１５には、ＩＴＯ（Indium Tin Oxide）等の透明導電膜や導電性ペーストの焼成体等からなる、アンテナ導体２２と給電端子部（図示せず）とを有するアンテナ端子２３のパターンが形成されており、液晶表示パネルに配設された前記無線受信用チップ部品２１は、前記アンテナ端子２３の前記給電端子部と接続されている。このように、アンテナ端子２３をパターン形成することにより、伝送する周波数や、ＵＷＢ（Ultrawideband、超広帯域無線）といった通信方式等の種類に応じた受信感度が得られるように、様々なパターンとすることができる。
【００２７】
なお、前記アンテナ端子２３を、ＩＴＯ等の透明導電膜で形成することとすれば、前記リア基板２Ｒ上に、透明導電膜をフォトリソ法などにより所定のパターンにパターニングすることにより端子形成部３を形成する際に、同時に形成することができ、工程も増えることがなく、効率的である。また、少なくとも前記アンテナ端子２３がパターン形成されたリア基板２Ｒの裏面に接地された導電膜（図示せず）を配設すれば、前記導電膜により、高速なデータ送信等により発生する電磁ノイズの影響を除去することが可能となる。
【００２８】
一方、当該液晶表示装置の装置本体５に内蔵されたプリント配線基板６には、ＭＰＵ（Micro Processor Unit）８などが搭載されており、当該液晶表示装置における画像表示に関するデータ管理や様々な制御を行なうように構成されている。また、前記プリント配線基板６には、前記無線受信用チップ部品２１にデータ送信可能とされた無線送信用チップ部品２７が配設されており、当該無線送信用チップ部品２７は、前記ＭＰＵ８と接続されている。また、本実施形態においては、当該無線送信用チップ部品２７は、前記無線受信用チップ部品２１と同様に、前記プリント配線基板６上にパターン形成したアンテナ端子２４と接続されている。
【００２９】
つまり、本実施形態の液晶表示装置においては、図１に示すように、装置本体５には、電源９と、アース１０と、ＭＰＵ８と、無線送信用チップ部品２７を備えたプリント配線基板６を内蔵し、液晶表示パネル１の端子形成部３には、液晶駆動用のドライバＩＣ４と、無線受信用チップ部品２１を搭載し、前記プリント配線基板６と液晶表示パネル１とをフレキシブル配線基板７で接続して、電圧供給のみを当該フレキシブル配線基板７を介して行い、表示画像に関する種々のデータ信号等を前記無線送信用チップ部品２７から無線受信用チップ部品２１に伝送させて、デジタル信号として受信させることにより、所望の画像を液晶表示パネル１の表示領域に表示させるように制御する構成とされている。
【００３０】
すなわち、本構成では、前記無線送信用チップ部品２７から伝送される、表示画像に関するデータ信号は電波となって前記液晶表示パネル１側へ飛来し、前記アンテナ端子２３のアンテナ導体２２に誘起される。そして、前記受信されたデータ信号は前記給電端子部を介して前記無線受信用チップ部品２１に送られ、復調などのデータ処理がなされる。そして、表示画像に関するデータ信号は、前記無線受信用チップ部品２１から、前記端子形成部３を構成するデータ信号用端子１７を介してドライバＩＣ４へ送信され、当該ドライバＩＣ４により処理されて、前記表示液晶表示パネル１の表示領域に所望の画像を表示する制御がなされる。
【００３１】
このように構成された本実施形態の液晶表示装置によれば、従来のフレキシブル配線基板７の配線数を著しく削減することが可能となり、前記フレキシブル配線基板７と前記液晶表示パネル１の端子形成部３との接続に要する面積を小さくすることができるので、液晶表示パネル１の狭額縁化を実現することが可能となり、さらには、当該液晶表示パネル１を実装する液晶表示装置の小型化をも実現することが可能となる。
【００３２】
また、前記液晶表示パネル１と、液晶表示装置に内蔵されるプリント配線基板６とを接続するフレキシブル配線基板７が、その配線数が削減され、狭幅なものとなると、液晶表示装置に液晶表示パネル１を実装する際の設計の自由度が大きくなり、液晶表示装置における前記液晶表示パネルの様々な実装形態を改良することが可能となる。
【００３３】
例えば、図３は、液晶表示装置における主表示部となる、液晶表示パネル１を実装した表示部側の筐体１１と、液晶表示装置の装置本体５（図２）となりサブ表示部として機能する液晶表示パネル１、およびＭＰＵ８（図２）を搭載したプリント配線基板６（図２）を実装した装置本体５の筐体１２とを、前記主表示部の液晶表示パネル１と装置本体５に内蔵されたプリント配線基板６との間に配設されたフレキシブル配線基板７で接続した構成の液晶表示装置を示している。
【００３４】
このように構成された液晶表示装置においては、狭幅とされたフレキシブル配線基板７を自在に撓ませることにより、前記主表示部として機能する前記表示液晶表示パネル１の表示領域をあらゆる方向に指向させることができるといった特徴を有する液晶表示装置となる。
【００３５】
そして、液晶表示パネル１の実装形態によっては、例えば、前述のように液晶表示装置としての折り畳み式の携帯電話に実装されるような場合に、ヒンジ部分でフレキシブル配線基板が折り曲げられることとなっても、フレキシブル配線基板６の配線数が少なく狭幅とされることで、その断線の発生も少なくすることができ、接続配線の信頼性を向上させることができる。
【００３６】
また、狭幅のフレキシブル配線基板７を覆うこととなるヒンジ部分の部材もコンパクトな形状とすることができる。
【００３７】
さらに、図３に示すように、表示部側の筐体１１と、プリント配線基板６の筐体１２との双方に液晶表示パネル１を内蔵するような液晶表示装置とする場合、各液晶表示パネル１に前記無線受信用チップ部品２１を搭載させることにより、装置本体に実装された前記無線送用チップ部品２７から伝送される画像表示に関するデータ信号を、各液晶表示パネル１において受信し、処理するように制御することにより、複数の表示画面を同期、連動させて、所望の画像を表示させることが可能となる。例えば、この構成の液晶表示装置は、ビデオカメラにおいて、主として撮影者側が視認し、ファインダーとして機能する液晶表示パネル１と、被写体側に表示画面を対向させて用いられ、被写体となる者が視認するための液晶表示パネル１とを備えるような場合に、特に、効果的である。
【００３８】
そして、前記液晶表示パネル１を構成しているリア基板２Ｒにパターン形成されたアンテナは端子２３は、電波の受信または受信の補助として作用させることができ、良好なデータ伝送を行なうことができる。
【００３９】
なお、本発明は、前述した実施の形態に限定されるものではなく、必要に応じて種々の変更が可能である。
【００４０】
例えば、携帯電話のメインパネルとサブパネルの双方に、無線受信用チップ部品を搭載し、各々に個別のデータを送信して別表示をさせることも可能である。
【図面の簡単な説明】
【００４１】
【図１】本発明の一実施形態における液晶表示装置の構成を示す概念図
【図２】本発明の一実施形態における、液晶表示装置の具体的な構成を示す説明図
【図３】本発明の別の実施形態における液晶表示装置の構成を示す説明図
【図４】従来の液晶表示装置の構成を示す説明図
【符号の説明】
【００４２】
１  液晶表示パネル
２  透明基板
２Ｆ  フロント基板
２Ｒ  リア基板
３  端子形成部
４  ドライバＩＣ
５  （液晶表示装置の）装置本体
６  プリント配線基板
７  フレキシブル配線基板
８  ＭＰＵ
９  電圧
１０  アース
１１  （液晶表示パネルを内蔵する表示部の）筐体
１２  （装置本体の）筐体
１５  延出領域
１６  電源用端子
１７  データ信号用端子  
２１  無線受信用チップ部品
２２  アンテナ導体
２３  （液晶表示パネル側の）アンテナ端子
２４  （装置本体側の）アンテナ端子
２７  無線送信用チップ部品
【図１】
2005107339.tif 000003
【図２】
2005107339.tif 000004
【図３】
2005107339.tif 000005
【図４】
2005107339.tif 000006